(57)【特許請求の範囲】
【請求項１】
既存の設計データを流用して新たな電気機器収納盤の設計を支援する設計支援システムであって、
既存の電気機器収納盤の設計データを格納するデータベースと、
前記データベースにアクセス可能に接続され、利用者の入力操作を受けて、流用する電気機器収納盤の設計データである流用元データを選択する流用元データ選択手段と、
選択された流用元データから、少なくとも、当該電気機器収納盤を構成するユニットを特定するユニット特定情報、前記各ユニットの配置に関するユニット配置情報および前記各ユニットを構成する内部機器に関する機器情報をそれぞれロードする流用元データロード手段と、
前記流用元データの前記ユニット特定情報、前記ユニット配置情報または前記機器情報の少なくとも何れかを変更を、利用者の入力操作に応じて許容する流用元データ変更手段と、
前記流用元データ変更手段により変更された情報に基づいて、新たな電気機器収納盤の設計データを作成する設計データ作成手段と
を備える、電気機器収納盤の設計支援システム。
【請求項２】
利用者が入力指定したユニットに搭載予定の内部機器が当該ユニットに搭載可能か否かを判定する搭載可否判定手段を更に備える、請求項１に記載の電気機器収納盤の設計支援システム。
【請求項３】
作成された設計データに基づいて、新たな電気機器収納盤の図面を作図する図面データ作成手段を備える、請求項１または２に記載の電気機器収納盤の設計支援システム。
【請求項４】
作成された設計データに基づいて、新たな電気機器収納盤を加工するための加工データを作成する加工データ作成手段を備える、請求項１または２に記載の電気機器収納盤の設計支援システム。
【請求項５】
前記データベースには、既存の電気機器収納盤の設計データ毎に、少なくともユニット特定情報、ユニット配置情報および機器情報が、それぞれ相互に対応付けられたデータ構造を有して格納されている、請求項１〜４の何れか１項に記載の電気機器収納盤の設計支援システム。
【請求項６】
利用者の入力操作により、流用する既存の電気機器収納盤の設計データを選択するステップと、
選択された流用元データから、少なくとも、当該電気機器収納盤を構成するユニットを特定するユニット特定情報、前記各ユニットの配置に関するユニット配置情報および前記各ユニットを構成する内部機器に関する機器情報をそれぞれロードするステップと、
前記流用元データの前記ユニット特定情報、前記ユニット配置情報または前記機器情報の少なくとも何れかを、利用者の入力操作により変更するステップと、
変更された情報に基づいて、新たな電気機器収納盤の設計データを作成するステップと
を含む、電気機器収納盤の設計支援方法。
【発明の詳細な説明】
【技術分野】
【０００１】
本発明は、ＣＡＤなどを用いて電気機器収納盤の設計や図面の作図等を行う際に、一部の演算処理を自動で行うことができる電気機器収納盤の設計支援システム、およびそのようなシステムにおいて実行される設計支援方法に関する。更に詳細には、既存の設計データを流用して新たな電気機器収納盤の設計に適した設計支援システム、および設計支援方法に関する。
【背景技術】
【０００２】
従来、分電盤や配電盤のような、キャビネットに電気機器を収納した電気機器収納盤（単に「盤」ともいう。）を対象とする自動設計・作図装置が種々提案されている（例えば、特許文献１参照）。電気機器収納盤は、その用途・機能、目的、容量・能力、設置環境等に応じて、様々な仕様のものがあり、またメーカでは顧客の要求に合わせて一品ごと特注盤として設計する場合も多い。
【０００３】
メーカでは、そのような盤の中で一般的に多用される要素機器の組み合わせを標準盤として規定し、標準盤以外の仕様の盤を設計する際に、既存の図面の一部を変更（典型的には要素機器の追加、除去、型式の変更、配線の変更等）して新たに図面を作成するような設計（以下、「流用設計」という。）を行う場合がある。従来、ＣＡＤで流用設計を行う際に、標準盤から変更する部品等の情報入力を容易にした自動設計・作図装置が既に提案されている（例えば、特許文献２参照）。
【先行技術文献】
【特許文献】
【０００４】
【特許文献１】特開平９−２２４２０号公報
【特許文献２】特開２００６−１０７０１７号公報
【発明の概要】
【発明が解決しようとする課題】
【０００５】
ところで、電気機器収納盤の流用設計を行う従来の設計システムでは、標準盤などの元データの一部を変更して新たな図面を作成することはできるが、複数の標準盤や既存の回路部分を自由に組み合わせて１つの盤にまとめたり、それらの配置を任意に変更したりするような自由度の高い設計をすることができなかった。
【０００６】
そこで、本発明の目的は、電気機器収納盤の流用設計にあたり、所定の機能を有するユニットの配置変更、また各ユニットを構成する電気機器の追加、除去、型式変更等を可能にすることで、従来よりも自由度の高い設計を容易に行えるようにした設計支援システム、または設計支援方法を提供することである。
【課題を解決するための手段】
【０００７】
上記課題を解決するため、本発明は、既存の設計データを流用して新たな電気機器収納盤の設計を支援する設計支援システムであって、既存の電気機器収納盤の設計データを格納するデータベースと、前記データベースにアクセス可能に接続され、利用者の入力操作を受けて、流用する電気機器収納盤の設計データである流用元データを選択する流用元データ選択手段と、選択された流用元データから、少なくとも、当該電気機器収納盤を構成するユニットを特定するユニット特定情報、前記各ユニットの配置に関するユニット配置情報および前記各ユニットを構成する内部機器に関する機器情報をそれぞれロードする流用元データロード手段と、前記流用元データの前記ユニット特定情報、前記ユニット配置情報または前記機器情報の少なくとも何れかを変更を、利用者の入力操作に応じて許容する流用元データ変更手段と、前記流用元データ変更手段により変更された情報に基づいて、新たな電気機器収納盤の設計データを作成する設計データ作成手段とを備える、電気機器収納盤の設計支援システムである。
【０００８】
上記構成において、利用者が入力指定したユニットに搭載予定の内部機器が当該ユニットに搭載可能か否かを判定する搭載可否判定手段を更に備えることが好ましい。
【０００９】
また、作成された設計データに基づいて、新たな電気機器収納盤の図面を作図する図面データ作成手段を備えることが好ましい。
【００１０】
また、作成された設計データに基づいて、新たな電気機器収納盤を加工するための加工データを作成する加工データ作成手段を備えるものでもよい。
【００１１】
また、前記データベースには、既存の電気機器収納盤の設計データ毎に、少なくともユニット特定情報、ユニット配置情報および機器情報が、それぞれ相互に対応付けられたデータ構造を有して格納されていることが好ましい。
【００１２】
また、本発明は、利用者の入力操作により、流用する既存の電気機器収納盤の設計データを選択するステップと、選択された流用元データから、少なくとも、当該電気機器収納盤を構成するユニットを特定するユニット特定情報、前記各ユニットの配置に関するユニット配置情報および前記各ユニットを構成する内部機器に関する機器情報をそれぞれロードするステップと、前記流用元データの前記ユニット特定情報、前記ユニット配置情報または前記機器情報の少なくとも何れかを、利用者の入力操作により変更するステップと、変更された情報に基づいて、新たな電気機器収納盤の設計データを作成するステップとを含む、電気機器収納盤の設計支援方法である。
【発明の効果】
【００１３】
本発明によれば、既存の電気機器収納盤の設計データを流用して、ユニット単位または機器単位で、それらの仕様変更や配置変更などの再設計を可能にする。これにより、従来よりも自由度の高い流用設計を容易に行えるようにした設計支援システム、または設計支援方法を提供することができる。
【図面の簡単な説明】
【００１４】
【図１】流用設計システムの機能コンセプトを説明するための図である。
【図２】１つのユニットからなる分電盤の一例を示す正面図である。
【図３】図２の分電盤を構成する分電盤ユニットの一例を示す正面図である。
【図４】複数のユニットからなる標準盤の一例を示す正面図である。
【図５】特注盤（ユニット盤）の盤面構成の一例を示す正面図である。
【図６】流用設計支援システムのネットワーク構成例を示すブロック図である。
【図７】データベースに記憶された既存製品の設計データを説明するための図である。
【図８】流用設計支援方法を説明するためのフロー図である。
【図９】作図基本データ画面の一例を示す図である。
【図１０】ユニット名画面の一例を示す図である。
【図１１】主回路画面の一例を示す図である。
【図１２】主回路画面および回路画面からの外面機器展開を説明するための図である。
【図１３】扉機器画面のデフォルト例を示す図である。
【図１４】図１３の扉機器展開情報から演算される外面機器のイメージ図である。
【図１５】扉機器画面の変更例１を示す図である。
【図１６】図１５の扉機器展開情報から演算される外面機器のイメージ図である。
【図１７】扉機器画面の変更例２を示す図である。
【図１８】図１７の扉機器展開情報から演算される外面機器のイメージ図である。
【図１９】扉機器画面の変更例３を示す図である。
【図２０】図１９の扉機器展開情報から演算される外面機器のイメージ図である。
【発明を実施するための形態】
【００１５】
本発明は、電気機器収納盤の既存の設計データを流用して、新たな電気機器収納盤の設計を支援する流用設計支援システムである。図１に、本発明の一実施形態である流用設計システムの機能コンセプトを示す。本流用設計システムは、電気機器収納盤メーカの例えば設計・開発部門のＣＡＤシステムなどに追加する態様で導入することができる。
【００１６】
図１に示すように、本流用設計支援システムによれば、例えば電気機器収納盤の標準盤の設計データから、標準盤の一部の電気機器の仕様を変えた標準変形盤の設計を容易にすることができる。また、標準盤の設計データに基づいて、特注盤やその他のユニット盤の設計を容易にすることができる。また、特注盤やそれら以外のユニット盤の設計データから、新たな特注盤やユニット盤の設計も容易にすることができる。
【００１７】
ここで、本明細書において「設計データ」とは、キャビネット外観図、盤面図、３次元ＣＡＤデータ、計画図、キャビネット加工図、盤面加工図、部品リストなどの、いわゆる設計図面全般を意味し、これらはＣＡＤシステムの電子データとして設計データベースにおいて管理される。また、各図面にはそれぞれ図番が割り当てられるが、１つの製品についての設計データに割り当てられる図番を、本明細書では特に「マスター図番」という。つまり、マスター図番が分かれば、その製品のキャビネット外観図、盤面図、三次元ＣＡＤデータ、加工図等の全ての設計データを検索でき、これらを流用して新たな図面を作成することができる。
【００１８】
また、本明細書において「ユニット」とは、電気機器収納盤において、ある機能を果たす構成単位を意味する。その機能とは、例えば開閉器（主幹ブレーカ、分岐ブレーカ等）、配線、スイッチのように電気的な機能だけに限定されない。例えば、電気機器や配線スペースを確保するための取付用ブラケットや、そのようなスペース自体もユニットとして扱うことができる。また、主幹と分岐とを組合せた分電盤のように、複数の機器を組み合わせて１つの機能を果たすものもユニットとして扱うことができる。
【００１９】
図２に、１つのユニットからなる分電盤の一例を示す。また、図３に、図２の分電盤を構成する分電盤ユニットの例を示す。この例において、分電盤ユニットは、規格で定められた幅寸法で平行に配置される取付レール１１、１２に、主幹ブレーカ１３ａを搭載する主幹ブラケット１３や、分電回路数の分岐ブレーカ１４ａ、１４ａ、・・・を搭載する分岐ブラケット１４が取り付けられる。例えば図３に示すように、分電盤ユニットには、主幹ブラケット１３と分岐ブラケット１４との間に、三相用のブスバー１５Ｒ、１５Ｓ、１５Ｔが予め取り付けられている。このように、既定の取付レール１１、１２にユニットを取り付けて構成される電気機器収納盤を、本明細書では特に「ユニット盤」と称している。
【００２０】
このようなユニット盤のうち、汎用性が高く、製品として多用されているものを、本明細書では特に「標準盤」と称している。具体的には、例えばメーカのカタログなどに製品型番として登録された製品が標準盤に該当する。標準盤（ユニット盤）は、図２の分電盤のように１つのユニットからなるものに限らず、例えば図４に示すように複数のユニットから構成されてもよい。
【００２１】
例えば図４の標準盤は、上から配線スペースのユニット（ＡＡＡ）、主幹ブレーカと分岐ブレーカを搭載可能なユニット（ＢＢＢ）、協約形機器を搭載可能なユニット（ＣＣＣ）、端子台取付用のユニット（ＤＤＤ）、電磁開閉器を搭載可能なユニット（ＥＥＥ）および配線スペースのユニット（ＦＦＦ）から構成される。
【００２２】
このような標準盤は、例えば分電盤ユニットの主幹ブラケット１３の空いたスペース２０に、新たな機器を追加したり、機器ブラケット１６などに任意の協約形機器を取り付けたりすることができる。このように、標準盤を構成するユニットの形態を崩さない範囲で、その一部の電気機器の仕様を変えたものを、本明細書では「標準変形盤」と称している。標準盤から標準変形盤への変更例としては、あるユニットを構成するブレーカなどの一部の電気機器の仕様変更や、電気機器の個数の増減。ここで、電気機器の仕様変更には、例えば主幹ブレーカの場合、定格容量アンペアの変更、サーキットブレーカから漏電ブレーカへの型式変更等が該当する。
【００２３】
また、本流用設計支援システムによれば、顧客の要求する仕様に応じて複数のユニットを組み合わせ、これらのユニットを盤の適宜の位置に配置した「特注盤」の設計も容易にすることができる。ここで、図５に、特注盤（ユニット盤）の盤面構成の一例を示す。
【００２４】
図５の特注盤は、複数のユニットを左右２列に配置したユニット盤の例である。例えば、左のＡ列には、上から、配線スペースのユニットＵ１、主幹ブレーカと分岐ブレーカを有するユニットＵ２、協約形機器ユニットＵ３、配線スペースのユニットＵ４、端子台取付用ユニットＵ５および配線スペースのユニットＵ６が搭載されている。また、右のＢ列には、上から、配線スペースのユニットＵ７、主幹ブレーカを有するユニットＵ８、電磁開閉器を搭載可能なユニットＵ９、端子台取付用ユニットＵ１０および配線スペースのユニットＵ６が搭載されている。
【００２５】
以上のような標準盤、標準変形盤、特注盤その他のユニット盤の流用設計を取り扱うことができる流用設計支援システムの具体的な実施形態を、以下図面を参照して説明する。ここで、図６は、本発明の一実施形態による流用設計支援システム１のネットワーク構成図である。流用設計支援システム１は、電気機器収納盤メーカの例えば設計・開発部門が利用するＣＡＤシステムなどに導入される。流用設計支援システム１は、ＣＡＤシステムのホストコンピュータ２と、設計データベース３と、複数のＣＡＤ端末（以下、単に「端末」という。）４と、プリンターなどの出力装置５とが、メーカ内のＬＡＮ（イントラネット）介して相互にデータ通信可能に接続されて構成されている。
【００２６】
図７は、設計データベース３に記憶されている既存製品（電気機器収納盤）ごとの設計データの階層構造を説明するための図である。図７（ａ）に示すように、設計データベース３には、既存の電気機器収納盤の作図基本データリストとして、マスター図番ごとに、図面の作成・更新日時や設計者の氏名等の基本情報とともに作図データ情報が記憶されている。作図データ情報は、盤の品名の他、当該盤を収納するキャビネットの品名または型番、盤構成、ユニット構成などの詳細な仕様が、マスター図番ごとに対応付けられた階層的な配列データ構造を有して、設計データベース３に記憶されている。
【００２７】
作図データ情報の「主回路」配列要素には、当該盤で使用している主回路の情報リスト（ＣＯＮＴ１、ＣＯＮＴ２、・・・）のリンク先アドレス情報（＠ＣＯＮＴ１、＠ＣＯＮＴ２、・・・）が格納されている。例えば＠ＣＯＮＴ１は、設計データベース３（つまり記憶装置）におけるアドレスラベルＣＯＮＴ１が、当該盤で使用している主回路を特定するための主回路情報リストの先頭アドレスであることを意味する。
【００２８】
図７（ｂ）は、主回路情報リスト（例えばＣＯＮＴ１）のデータ構造を例示する図である。主回路情報リストは、少なくとも、電気機器を特定する情報（種別や機器記号）、当該盤における電気機器の配置情報、および電気機器の個数情報などが、それぞれ相互に対応付けられている。
【００２９】
また、作図データ情報の「ユニット」配列要素には、当該盤で使用しているユニットの情報リスト（ＵＮＩＴ１、ＵＮＩＴ２、・・・）のリンク先アドレス情報（＠ＵＮＩＴ１、＠ＵＮＩＴ２、・・・）が格納されている。図７（ｃ）は、ユニット情報リスト（例えばＵＮＩＴ１）のデータ構造を例示する図である。ユニットリストは、少なくとも、当該盤におけるユニットの配置情報とともに、その配置位置に配置されるユニットのユニット名が対応付けられている。
【００３０】
このように、設計データベース３には、既存の電気機器収納盤の設計データ毎に、少なくともユニット特定情報、ユニット配置情報および機器情報が、それぞれ配列データの態様で相互に対応付けられた階層的なデータ構造を有して記憶されている。このように、設計データベース３内の設計データを階層化することで、主回路情報リストやユニット情報リストを共通化することができる。これにより、共通の情報リストを流用して新たな製品の設計を容易にするとともに、設計データベース３のデータ容量を減らしたり、流量元データを検索する速度や効率を上げたりすることができる。
【００３１】
本実施形態による流用設計支援システム１は、ホストコンピュータ２が所定のプログラムに従って演算処理を実行することにより、次に説明する電気機器収納盤の流用設計を支援するための各制御処理手段が実現される。以下、図８のフロー図に従って、電気機器収納盤の流用設計支援方法の具体例を説明する。
【００３２】
（流用元データ選択手段）
先ず、新たな電気機器収納盤を流用設計しようとする設計者（以下、本システムの「ユーザ」という。）は、何れかの端末４からホストコンピュータ２にログインして、システムを起動させる。このとき、ホストコンピュータ２は、アクセスした端末４のディスプレイに、例えば図９に示すような作図基本データ画面１０１を表示させる。ユーザは、流用設計元の設計データを示すマスター図番を、入力兼用表示項目欄（以下、単に「ボックス」という。）１０１ａに入力する（ステップＳ１１）。
【００３３】
なお、ユーザは、流量元の図番が分からなくても、例えばカタログに登録されている電気機器収納盤の品名や型番をボックス１０１ｂに入力して、流量元の設計データをワーキングエリアや端末４にロードすることができる。また、ログイン時のユーザアカウント情報に基づいて、ホストコンピュータ２が、当該ユーザが現在設計中のデータ、または最後に更新した設計データをワーキングエリアに自動的にロードしたり、既にワーキングエリアに保存されている設計データをそのまま作図基本データ画面１０１に表示させてもよい。
【００３４】
（流用元データロード手段）
ホストコンピュータ２は、入力された図番に対応する流量元の設計データを設計データベース３の作図基本データリスト（図７（ａ）参照）から検索して、記憶装置のワーキングエリアにロードする。ワーキングエリアにロードされる流用元データは、少なくとも、流用元の当該電気機器収納盤を構成するユニットを特定するユニット特定情報、各ユニットの配置に関するユニット配置情報および前記各ユニットを構成する内部機器に関する機器情報が含まれる。
ワーキングエリアは、ホストコンピュータ２の記憶装置に形成してもよいし、ネットワーク上の所定の記憶装置に形成してもよいし、ユーザがアクセスした端末４の記憶装置に形成してもよい。ホストコンピュータ２は、ワーキングエリアにロードした作図基本データのうち、所定の項目（例えば盤の品名や型番など）を、作図基本データ画面１０１の所定のボックス１０１ｂ、１０１ｃ、・・・に表示させる（ステップＳ１２）。
【００３５】
（流用元データ変更手段）
＜キャビネットの変更＞
このように、流用元の電気機器収納盤が特定されると、作図基本データ画面１０１のボックス１０ｂ、１０１ｃ等には、流用元の盤の品名や、その盤に使用されているキャビネットの品名または型番等が表示される。ユーザは、その品名または型番を確認し、もしキャビネットを変更する場合には、ボックス１０１ｃに新たなキャビネットの品名または型番を入力して指定することができる（ステップＳ１３）。そして、流用元データ変更手段は、ユーザによる入力指定に応じて、バックグラウンド処理により、ワーキングエリアのキャビネット情報を直ちに変更する。
【００３６】
＜ユニットの変更＞
また、ユーザは、流用元の電気機器収納盤で使用されているユニットの仕様変更や、追加、除去、搭載位置等の変更も容易に行うことができる。すなわち、作図基本データ画面１０１のユニット名ボタン１０１ｇをクリックすると、端末４のディスプレイには、例えば図１０に示すような、当該流用元の電気機器収納盤に使用されているユニットの一覧を示すユニット名画面１０２が表示される（ユニット特定情報）。
この処理は、ワーキングエリアにロードされた作図基本データから参照されるユニット情報リスト（図７（ｃ）参照）に基づいて、その情報をホストコンピュータ２が端末４に表示させることにより行われる。
【００３７】
ユニット名画面１０２には、ユニットの一覧とともに、当該ユニットの搭載位置（盤面の列および段）が表示されている（ユニット配置情報）。そのため、ユーザは、ユニット名画面１０２を見ながらそれらを確認し、必要であればユニットの追加、除去、搭載位置の変更をユニット名画面１０２上で行うことができる（ステップＳ１４）。例えば、新たなユニットを追加する場合には、ユニット名画面１０２の搭載したい位置の空欄に、新たなユニット名を入力するだけでよい。また、ユニットを除去する場合には、ユニット名画面１０２上の除去したい項目欄のユニット名を削除すればよい。更にユニットの搭載位置を変更する場合には、ユニット名画面１０２上の対応する欄の間でユニット名を移動（例えばコピー・アンド・ペースト、またはドラッッグ）させるだけでよい。
【００３８】
なお、ユニット名画面１０２上でユニットの搭載位置等が変更されると、ワーキングエリアの対応するユニット情報も直ちに更新される。
【００３９】
＜機器の変更＞
また、ユーザは、流用元の電気機器収納盤で使用されている内部機器（単に「機器」、「電気機器」ともいう）の仕様変更や、追加、除去、配置等の変更も容易に行うことができる。ここで、ユーザが、作図基本データ画面１０１の主回路ボタン１０１ｊまたはユニット名画面１０２の主回路ボタン１０２ｊをクリックすると、端末４のディスプレイには、例えば図１１に示すような主回路画面１０３が表示される（機器情報）。この処理は、ワーキングエリアにロードされた作図基本データから参照される主回路情報リスト（図７（ｂ）参照）に基づいて、その情報をホストコンピュータ２が端末４に表示させることにより行われる。
【００４０】
主回路画面１０３には、流用元の電気機器収納盤で使用されている内部機器（電気機器、配線用機器などを含む）、またはステップＳ１４のユニット仕様変更指定により自動的に更新された機器を含む一覧が、機能区分（主幹、送り、分岐等）ごとに表示される。また、主回路画面１０３には、盤面における各機器の配置情報も表示される。
【００４１】
ユーザは、主回路画面１０３を見ながら機器を確認し、必要であれば機器の個数変更、仕様変更、配置変更等を、主回路画面１０３上で行うことができる（ステップＳ１６）。例えば、機器の個数を変更する場合、主回路画面１０３の対応する項目欄に変更後の個数を入力すればよく、機器の仕様を変更する場合には、変更後の機器記号や型番を対応する項目欄に入力すればよい。機器の追加や除去についても、同様に対応する項目欄の段の記載を変更することで容易に行うことができる。
【００４２】
なお、主回路画面１０３上で内部機器の情報が変更されると、ワーキングエリアの対応する機器情報も直ちに更新される。
【００４３】
（内部機器配置演算手段）
＜搭載可否判定手段＞
ホストコンピュータ２は、ユーザが端末４に入力した情報に基づいて内部機器が変更されると、指定された機器の仕様データを、設計データベース３や電子化データブックから検索し、ワーキングエリアにロードする。機器の仕様データには、その機器の外形寸法、取付タイプ（ネジ穴付き、プラグイン）などの仕様が記載されている。内部機器配置演算手段は、これらの仕様データを参照して、流用するキャビネットまたは変更指定されたキャビネット内のユニットへの配置、具体的には取付位置、占有スペース、配線スペースなどを演算する。そして、搭載可否判定手段は、変更指定した内部機器（設置個数が増える場合もある）が、対応するユニットに搭載可能か否かを判定する（ステップＳ１７）。
【００４４】
搭載可否判定手段は、変更指定した内部機器とユニットとの適合性が得られない場合や、内部機器がキャビネットに収納されないと判定したときには、端末４のディスプレイに「搭載不可」などのエラーを表示し、ユーザに設計変更を促すようにしてもよい。
【００４５】
（外面機器配置演算手段）
内部機器とユニットとの適合性およびキャビネット内への収納性が認められると、外面機器配置演算手段が、演算された内部機器の配置情報に基づいて、キャビネット外面に現れる外面機器のデフォルトの配置を演算する（ステップＳ１８）。
このような、外面機器配置演算処理は、上述したワーキングエリアで、ユーザによる機器に関する情報の指定入力に応じてリアルタイムに行われる。
【００４６】
ここで、図１２の主回路画面の「Ｃ」ボタンをクリックすることにより表示される回路画面ならびに図１３の扉機器画面を例に、外面機器配置演算手段の動作を更に説明する。なお、主回路画面は、作図基本データ画面１０１の主回路ボタン１０１ｊをクリックすることで端末４に表示され、扉機器画面は、作図基本データ画面１０１の扉機器ボタン１０１ｉをクリックすることで端末４に表示される。
【００４７】
本流用設計システムでは、外面機器の配置展開処理が、ホストコンピュータ２のバックグラウンド処理により自動的に演算される。例えば、図１２に示す主回路画面の「送り」に係る外面機器の配置は、図１３に示す扉機器画面１１０の（１）幹線部の項目欄に展開される。また、回路画面の共通部に係るスイッチなどの外面（扉）機器の配置は、図１３に示す扉機器画面１１０の（３）共通部の項目欄に展開される。また、同じく回路画面の個別部に係るランプなどの外面機器の配置は、図１３に示す扉機器画面１１０の（２）分岐／警報部の項目欄に展開される。
なお、扉機器画面の＜扉１＞、＜扉２＞は、キャビネットに２枚ある左扉、右扉にそれぞれ対応している。
【００４８】
表示手段は、図１４に例示するようなキャビネットの外面に現れる外面機器のイメージを、端末４のディスプレイに表示させる（ステップＳ１９）。なお、図１４は、図１３の扉機器画面で示されるデフォルトの展開情報に基づいて作成されたキャビネット外観図２１０である。
【００４９】
（外面機器配置変更手段）
ユーザは、このデフォルトで表示された外面機器（扉機器）の変更や配置変更を望む場合（ステップＳ２０：ＹＥＳ）、扉機器画面１１０上で外面機器を指定して容易にその配置変更を行うことができる（ステップＳ２１、Ｓ２２）。
【００５０】
＜扉機器変更例１＞
第一の例として、デフォルトの初期情報に基づいて例えば左扉に配置された一部または全部の外面機器を右扉に移動させる設計変更をする場合には、扉機器画面１１０の＜扉１＞の移動させる機器項目欄の情報を、＜扉２＞の移動先の機器項目欄にコピー・アンド・ペースト、またはドラッッグさせることで指定することができる（ステップＳ２１）。
例えば図１５には、変更後の扉機器画面１１１が示される。扉機器画面１１１には、＜扉１＞の（２）分岐／警報部の３段目にあった回路Ｎｏ．３が、＜扉２＞の（２）分岐／警報部の１段目に移されている。この操作により、回路Ｎｏ．３のメータ、ランプおよびスイッチを右扉に移動させることができ、例えば図１６に示すキャビネット外観図２１１が端末４のディスプレイに表示される（ステップＳ２２）。
【００５１】
＜扉機器変更例２＞
また第二の例として、図１７には、左扉に配置された外面機器の配列順を設計変更した扉機器画面１１２が例示される。この扉機器画面１１２には、＜扉１＞の（２）分岐／警報部の項目欄の１段目にあった回路Ｎｏ．１が３段目に移され、３段目にあった回路Ｎｏ．３が１段目に移されている。この操作により、回路Ｎｏ．１およびＮｏ．３の配置を入れ替えることができ、例えば図１８に示すようなメータおよびランプ類が入れ替えられたキャビネット外観図２１２が、端末４のディスプレイに表示される。
【００５２】
＜扉機器変更例３＞
また第三の例として、図１９には、左扉に配置された１回路の外面機器を除去した扉機器画面１１３が例示される。この扉機器画面１１３には、＜扉１＞の（２）分岐／警報部の項目欄の回路Ｎｏ．２が削除されている。この操作により、回路Ｎｏ．２の外面機器を除去することができ、例えば図２０に示すような、１回路のメータおよびランプ類が除去されたキャビネット外観図２１３が、端末４のディスプレイに表示される。
【００５３】
このようにして、ユーザは、作図実行前に、キャビネット外面に現れる機器の誤りを迅速に発見でき、画面上でその誤りを容易に修正することができる。したがって、再度、設計フローを繰り返さなくてもよい。
【００５４】
（図面データ作成手段）
以上のステップにより、ワーキングエリア上では、流量元の設計データに基づいて新たな設計データが作成される。図面データ作成手段は、作成された設計データに基づいて、新たな電気機器収納盤のキャビネット外観図、盤面図、キャビネット加工図、盤面加工図などの電子データ図面を作成する作図処理を実行し、プリンターなどの出力装置５に出力する（ステップＳ２３）。例えば、キャビネット加工図は、上述した外面機器配置演算手段や外面機器配置変更手段により決定された外面機器の配置に基づいて作成される。
【００５５】
（加工データ作成手段）
加工データ作成手段は、作成されたキャビネット加工図、盤面加工図などの設計データに基づいて、新たな電気機器収納盤のキャビネットや盤面を加工するための、例えばＮＣデータなどの加工データを作成することができる。
【００５６】
（設計データ更新手段）
設計データ更新手段は、作成した新たな電気機器収納盤の設計データに新規図番（マスター図番および各図面の図番）を、上述したルールに従って自動的に割り当てる。そして、図番と対応させた態様で、新たな設計データを設計データベース３に保存し登録する（ステップＳ２４）。これにより、新たに作成された設計データが、更に他の電気機器収納盤の設計に流用可能となる。
【符号の説明】
【００５７】
１  流用設計支援システム
２  ホストコンピュータ
３  設計データベース
４  端末
５  出力装置
１１、１２  取付レール
１３  主幹ブラケット
１３ａ  主幹ブレーカ
１４  分岐ブラケット
１４ａ  分岐ブレーカ
１５Ｒ、１５Ｓ、１５Ｔ  ブスバー
１６  機器ブラケット
１７  端子台ブラケット
１８  電磁開閉器ブラケット
２０  追加機器用空きスペース
１０１  作図基本データ画面
１０２  ユニット名画面
１０３  主回路画面
１１０、１１１、１１２，１１３  扉機器画面
２１０、２１１、２１２、２１３  キャビネット外観図
【図１】
0006602223.tif 000002
【図２】
0006602223.tif 000003
【図３】
0006602223.tif 000004
【図４】
0006602223.tif 000005
【図５】
0006602223.tif 000006
【図６】
0006602223.tif 000007
【図７】
0006602223.tif 000008
【図８】
0006602223.tif 000009
【図９】
0006602223.tif 000010
【図１０】
0006602223.tif 000011
【図１１】
0006602223.tif 000012
【図１２】
0006602223.tif 000013
【図１３】
0006602223.tif 000014
【図１４】
0006602223.tif 000015
【図１５】
0006602223.tif 000016
【図１６】
0006602223.tif 000017
【図１７】
0006602223.tif 000018
【図１８】
0006602223.tif 000019
【図１９】
0006602223.tif 000020
【図２０】
0006602223.tif 000021